(57)【要約】【課題】聴覚補助スピーカーをさりげなく、しかも簡便かつ手軽に使用でき、さらに肌面に押し付けられるスピーカーを常に衛生的な状態で使用できるようにする。【解決手段】骨伝導スピーカー３を含む発振部１と、発振部１を支持する支持具２とを備えていて、変換部４から出力されるスピーカー駆動信号で骨伝導スピーカー３を駆動する。発振部１は、ケース６と、ケース６に内蔵される骨伝導スピーカー３とを含んで構成する。ケース６の外面には、肌面を介して頭骨に押し付けられる振動伝達面７を備えている。支持具２は例えばグリップ状に形成してあって、支持具２を片手で握った状態で発振部１を頭骨に押し付け操作できる。【選択図】図１
0003135993.tif 000002
【実用新案登録請求の範囲】
【請求項１】
骨伝導スピーカー（３）を含む発振部（１）と、発振部（１）を支持する支持具（２）とを備えており、変換部（４）から出力されるスピーカー駆動信号を受けて骨伝導スピーカー（３）を駆動する聴覚補助スピーカーであって、
支持具（２）を手指で保持して発振部（１）を頭骨に押し付け操作できる骨伝導式の聴覚補助スピーカー。
【請求項２】
グリップ状に形成した支持具（２）の一端に発振部（１）が配置されており、
発振部（１）が、ケース（６）と、ケース（６）に内蔵される骨伝導スピーカー（３）とを含んで構成されており、
ケース（６）の外面に、肌面を介して頭骨に押し付けられる振動伝達面（７）が設けてある請求項１記載の骨伝導式の聴覚補助スピーカー。
【請求項３】
変換部（４）と骨伝導スピーカー（３）とを繋ぐスピーカー駆動信号の伝送経路（１７）に、骨伝導スピーカー（３）の音量を調整する音量調整器が組み込んである請求項１または２記載の骨伝導式の聴覚補助スピーカー。
【請求項４】
発振部（１）ないし支持具（２）に、変換部（４）からの呼び出し信号を表示する表示体（２１）が設けてある請求項１、２または３記載の骨伝導式の聴覚補助スピーカー。
【考案の詳細な説明】
【技術分野】
【０００１】
本考案は、銀行、旅行切符の発券窓口、行政機関の受付窓口などにおいて、聴覚を補助して窓口係員との意思疎通を行うのに好適な骨伝導式の聴覚補助スピーカーに関する。
【背景技術】
【０００２】
この種の聴覚補助器として例えば特許文献１が公知である。そこでは、マイク、アンプ、バッテリーなどを内蔵する本体部と、本体部に接続される骨伝導型のスピーカーとで聴覚補助器を構成している。骨伝導型のスピーカーは、ボイスコイル型のスピーカーからなり、例えばヘッドバンドやヘッドセットに組み込んでヘッドフォン状に構成してある。
【０００３】
本考案では、骨伝導スピーカーとして圧電素子型のスピーカーを使用するが、この種のスピーカーは特許文献２に公知である。
【０００４】
【特許文献１】特許第３４７６７６４号公報（段落番号０００６〜０００７、図２）
【特許文献２】特開２００５−２２９３２４号公報（段落番号００１３、図２）
【考案の開示】
【考案が解決しようとする課題】
【０００５】
特許文献１の聴覚補助器によれば、軽度から重度にいたる聴覚障害を補助して、テレビの視聴や、公共の場での会話を円滑に行うことができる。しかし、先の聴覚補助器では、骨伝導型のスピーカーをヘッドフォン状に構成するので、ヘッドバンドなどを頭部に装着する煩わしさがあり着脱に手間が掛かる。また、ヘッドバンドやヘッドセットを着脱する際にヘアースタイルが乱れやすく、さらにヘッドバンドやヘッドセットを装着した状態の外見が大げさであるため、その使用に強い抵抗感がある。銀行の窓口などの公共の場では、不特定多数の人がスピーカーを肌に密着して使用するので、衛生上の理由あるいは生理的な理由でスピーカーを使用することが嫌がられることもある。
【０００６】
本考案の目的は、従来機器に比べて聴覚補助スピーカーをさりげなく、しかも簡便かつ手軽に使用でき、さらに肌面に押し付けられるスピーカーを常に衛生的な状態で使用できる骨伝導式の聴覚補助スピーカーを提供することにある。
【課題を解決するための手段】
【０００７】
本考案の聴覚補助スピーカーは、骨伝導スピーカー３を含む発振部１と、発振部１を支持する支持具２とを備えていて、変換部４から出力されるスピーカー駆動信号を受けて骨伝導スピーカー３を駆動する。以て、支持具２を手指で保持して発振部１を頭骨に押し付け操作できる点に特徴を有する。
【０００８】
グリップ状に形成した支持具２の一端に発振部１を配置する。発振部１は、ケース６と、ケース６に密閉内蔵される骨伝導スピーカー３とを含んで構成する。ケース６の外面に、肌面を介して頭骨に押し付けられる振動伝達面７を設ける。
【０００９】
変換部４と骨伝導スピーカー３とを繋ぐスピーカー駆動信号の伝送経路１７に、骨伝導スピーカー３の音量を調整する音量調整器を組み込む。
【００１０】
発振部１ないし支持具２に、変換部４からの呼び出し信号を表示する表示体２１を設ける。
【考案の効果】
【００１１】
本考案では、骨伝導スピーカー３を含む発振部１と、発振部１を支持する支持具２とで聴覚補助スピーカーを構成し、支持具２を手指で保持することにより発振部１を頭骨に押し付け操作できるようにした。したがって本考案の聴覚補助スピーカーによれば、従来装置において避けられなかったヘッドバンドやヘッドセットを着脱する煩わしさを一掃して、聴覚補助スピーカーによる聴覚補助を周囲に目立つこともなくさりげなく行え、しかも聴覚補助スピーカーを簡便かつ手軽に使用できる。また、聴覚補助スピーカーを使用することでヘアースタイルが乱れることもない。使用後には、ユーザーから受け取った聴覚補助スピーカーの外面を、ティッシュペーパーや消毒液を含浸させた消毒綿などで払拭することにより、例えば振動伝達面７に付着した皮脂や化粧料などを除去して衛生的な状態に維持でき、聴覚補助スピーカーを常に衛生的な状態で使用できる。
【００１２】
グリップ状に形成した支持具２の一端に配置した発振部１を、ケース６と、ケース６に密閉内蔵される骨伝導スピーカー３とを含んで構成すると、骨伝導スピーカー３が駆動されるときの音漏れを解消して、周囲のユーザーに知られることなく、窓口担当者と会話できる。因みに、ヘッドフォン状に構成された聴覚補助スピーカーの場合には、スピーカー部分の位置の調整に手間取るが、ユーザー自身がグリップ状の支持具２を握り保持する本考案の聴覚補助スピーカーによれば、聴覚補助スピーカーを片手で確りと保持して、ユーザー自身が発振部１をこめかみの好適な位置に的確に押し付け操作して、骨伝導による音声認識を効果的に行うことができる。また、ケース６の外面に振動伝達面７を設けることにより、間違った部分が頭骨に押し付けられるのを防いで、聴覚補助スピーカーを的確に頭骨に押し付けることができ、聴覚補助スピーカーの使用法に関して、勘違いを生じる余地がない点で有利である。
【００１３】
変換部４と骨伝導スピーカー３とを繋ぐスピーカー駆動信号の伝送経路１７に、骨伝導スピーカー３の音量を調整する音量調整器を組み込むと、音量調整器によってスピーカー駆動信号の強弱を調整して、聴覚障害の度合いに応じた適切な音量で骨伝導スピーカー３を駆動できる。また、音量調整器とその調整摘み１５がユーザーの手許に設けてある場合には、ユーザー自身でスピーカー駆動信号を調整変更して、骨伝導による音声認識を好適化できる。
【００１４】
発振部１ないし支持具２に表示体２１を設ける聴覚補助スピーカーによれば、変換部４からの呼び出し信号を表示体２１に表示できるので、例えば受付窓口において手続きをとるための順番待ちをする際などに、自分の順番が来たことをユーザー自身で明確に確認することができ、認識手段が増える分だけ、受付窓口における手続きを円滑に行うことができる。
【考案を実施するための最良の形態】
【００１５】
（実施例）  図１ないし図３は本考案に係る骨伝導式の聴覚補助スピーカーの実施例を示す。図１において聴覚補助スピーカーは、発振部１と、発振部１を支持する支持具２とで構成してあり、変換部４から出力されるスピーカー駆動信号によって、発振部１に設けられる骨伝導スピーカー３を駆動できるようになっている。
【００１６】
発振部１は、厚みが薄い中空のケース６と、ケース６に内蔵される骨伝導スピーカー３とで構成する。ケース６は円盤状のケース本体６ａと、ケース本体６ａにねじ込み固定されるケース蓋６ｂとからなる。これら両者６ａ・６ｂは、それぞれプラスチック成形品で形成してある。骨伝導スピーカー３は、セラッミック製の圧電素子を駆動体とする市販の圧電スピーカーからなり、その中央部分の片面に振動伝達体３ａが固定してある。振動伝達体３ａはケース蓋６ｂの内面に密着固定してあり、これによりケース蓋６ｂの円形の面壁が振動伝達面７として機能する。振動伝達面７は、効果的な骨伝導を行うために平坦に形成してあり、振動伝達面７の頭骨に対する密着面積が大きいほど骨伝導スピーカー３の振動を効率よく頭骨に伝達できる。
【００１７】
支持具２は、片手で握り保持できる棒状のグリップからなり、その上端に先の発振部１が連結体９を介して固定してある。支持具２の内部には、後述するリード線１７を通すための穴が上下貫通状に形成してある。変換部４は、ケース１１の内部にマイク１２および増幅器１３などを収容して構成してある。ケース１１の外面には、スピーカー駆動信号を出力するコネクターソケット１４や、骨伝導スピーカー３の音量を調整する音量調整器用の調整摘み１５などが組み込んである。変換部４と骨伝導スピーカー３とは、リード線（スピーカー駆動信号の伝送経路）１７を介して接続してある。リード線１７の端部には、コネクターソケット１４に差し込み連結されるコネクタープラグ１８が固定してある。
【００１８】
以上のように構成した聴覚補助スピーカーは、例えば銀行の受付カウンターに設置して使用する。聴覚補助スピーカーは誰もが使用できる状態で受付カウンターに用意してあり、聴覚に障害がある顧客が必要に応じて使用する。聴覚補助スピーカーの使用者は、図３に示すように支持具２を片手で握り、発振部１の振動伝達面７を例えば耳前方のこめかみ部分の肌面に押し当てて窓口担当者の話を聞く。窓口担当者の応答は、マイク１２で音声信号に変換され、さらに増幅器１３で増幅されて、リード線１７を介して発振部１の骨伝導スピーカー３に出力される。骨伝導スピーカー３の振動は、振動伝達面７を介して頭骨に伝導され、頭骨の振動は蝸牛を介して聴覚神経へと伝達される。したがって、本考案の聴覚補助スピーカーを使用することにより、聴覚に障害がある場合でも窓口担当者と円滑に意思の疎通を行うことができる。
【００１９】
また、本考案の聴覚補助スピーカーは、片手でグリップ状の支持具２を握り、その一端に設けた発振部１をこめかみに押圧するだけで、窓口担当者の話を明瞭に聞くことができるので、従来装置において避けられなかったヘッドバンドやヘッドセットを着脱する煩わしさを一掃でき、聴覚補助スピーカーによる聴覚補助を周囲に目立つこともなくさりげなく、しかも簡便かつ手軽に行える。また、聴覚補助スピーカーを使用することでヘアースタイルが乱れることもない。使用後には、顧客から受け取った聴覚補助スピーカーの外面を、ティッシュペーパーや消毒液を含浸させた消毒綿などで払拭することにより、例えば振動伝達面７に付着した皮脂や化粧料などを除去して衛生的な状態に維持することができる。このとき、振動伝達面７が平坦面であると、皮脂や化粧料などの払拭除去を確実にしかも簡便に行える。密閉構造のケース６内に骨伝導スピーカー３を収容するので、聴覚補助スピーカーを使用するとき、骨伝導スピーカー３が駆動されることに伴う音漏れを一掃できる利点もある。
【００２０】
銀行や行政機関の受付窓口などにおいては、何らかの手続きをとるために順番待ちをし、あるいは、必要な書類を受け取るために順番待ちをすることがある。多くの場合は、一連番号が印刷されたシートをユーザーに発券し、受付窓口では発券番号順に受付業務を行う。このとき、受付窓口に設置された番号表示器と、音声による案内とで次に受け付ける発券番号を知らせるが、聴覚に障害があると音声による案内を認識することができない。こうした場合に、聴覚補助スピーカーを利用して自分の順番が来たことをユーザー自身で確認することができる。
【００２１】
その場合の聴覚補助スピーカーは、図４に示すように支持具２に表示体２１を設けておくことにより、変換部４からの呼び出し信号を表示体２１で表示して、自分の順番が来たことをユーザー自身で確認することができる。詳しくは、順番待ち番号が印刷されたシートの代わりに聴覚補助スピーカーを窓口で借り受ける。窓口担当者は、聴覚補助スピーカーを貸し出す際に、順番待ち番号と貸し出される聴覚補助スピーカーの固有番号との関連付けを予め行っておく。表示体２１は、例えば液晶ディスプレイで構成してあり、ユーザーの順番になると窓口担当者が変換部４に設けられた呼び出しボタンを押すことにより、窓口へ来て欲しい旨の表示を表示体２１で表示する。表示体２１による表示は文字表示、絵文字による表示、あるいは両表示の組み合わせ表示で構成することができる。
【００２２】
上記のような呼び出しを実現するために、変換部４に無線送信機を組み込み、適所に送信アンテナを設置しておく。また、聴覚補助スピーカーの側には無線受信機と受信用のアンテナを組み込んでおく。なお、表示体２１をＬＥＤで構成して、変換部４からの呼び出し信号に応じて、ＬＥＤを明滅させるようにしてもよい。変換部４と聴覚補助スピーカーとの間の情報の伝達を無線で行うようにすると、複数の受付窓口のそれぞれに変換部４を設置しておくことにより、特定の受付窓口に出向く必要がなく、どこの窓口でも聴覚補助スピーカーによる意思の疎通を図ることができる。
【００２３】
図５は、聴覚補助スピーカーのさらに別の実施例を示す。図５（ａ）では、支持具２を円盤状に形成して、支持具２を片手で握り締めて発振部１を頭骨に押し当てられるようにした。この支持具２によれば、支持具２を握る手で発振部１の外面が覆われるので、聴覚補助スピーカーをよりさりげなく使用することができる。図５（ｂ）では、支持具２を弾性変形可能な一対の抱持腕２ａ・２ａを含んでＣ字状に形成し、支持具２で囲まれる空間に片手を差し込むことにより、支持具２を握締める必要もなく聴覚補助スピーカーを支持できるようにした。また、支持具２と発振部１とをボール継ぎ手２３で接続して、発振部１をより確実に頭骨に密着できるようにした。図５で説明したように、支持具２の構造や形状は必要に応じて自由に変更できるので、支持具２が手または指で保持できるものであれば、その構造や形状は限定しない。
【００２４】
上記の実施例以外に、支持具２とケース６は一体に形成することができ、その場合には連結体９を省略して、聴覚補助スピーカーの外観をさらにシンプルなものとすることができる。骨伝導スピーカー３の音量を調整する音量調整器および調整摘み１５は支持具２に組み込むことができ、あるいは、支持具２の近傍に設けたコントローラ部に組み込むことができる。その場合には、ユーザー自身が調整摘み１５を調整して、骨伝導スピーカー３の音量をユーザーの聴覚の度合いに応じて好適化することができる。
【００２５】
振動伝達面７を含むケース６は、銀イオンなどの抗菌材を含むプラスチック成形品で形成することができる。表示体２１は、発振部１の側に設けることができる、必要があれば、先に説明したコントローラ部に表示体２１を設けてもよい。骨伝導スピーカー３としては、発振部１の厚み寸法を小さくできる点で、セラッミック製の圧電素子を駆動体とする圧電スピーカーが好適であるが、必要があればボイスコイル型のスピーカーを用いることができる。
【図面の簡単な説明】
【００２６】
【図１】聴覚補助スピーカーを含む聴覚補助装置の正面図である。
【図２】聴覚補助スピーカーの側面図である。
【図３】聴覚補助スピーカーの使用例を示す側面図である。
【図４】聴覚補助スピーカーの別の実施例を示す正面図である。
【図５】聴覚補助スピーカーのさらに別の実施例を示す側面図である。
【符号の説明】
【００２７】
１  発信部
２  支持具
３  骨伝導スピーカー
４  変換部
６  ケース
７  振動伝達面
【図１】
0003135993.tif 000003
【図２】
0003135993.tif 000004
【図３】
0003135993.tif 000005
【図４】
0003135993.tif 000006
【図５】
0003135993.tif 000007